(57)【特許請求の範囲】
【請求項１】
カプセルホルダ（１０）、または、カプセルホルダ（１０）へカプセル（１）を適合させるための適合装置（１７）であって、
前記カプセル（１）が、前記カプセル（１）および前記カプセルホルダ（１０）並びに随意的には前記適合装置（１７）が食品調製マシンの容器内に挿入されるときに加圧下で流体を前記カプセル内に注入することにより食品を供給するようになっており、
前記カプセルが、
カプセル側壁（４）および柔軟な底壁（５）によって、さらに随意的には上壁（６）とにもよって画定されるチャンバ（３）であり、前記注入流体によって溶解されるべきおよび／または抽出されるべき少なくとも１つの原材料（７）を収容するチャンバ（３）と、
前記底壁（５）を貫通して設けられる少なくとも１つの送出用開口（９）を備える飲料送出構造と、
を備える、カプセルホルダ（１０）または適合装置（１７）において、
前記カプセルホルダ（１０）または前記カプセルホルダのための前記適合装置（１７）は、前記注入流体と前記原材料との混合のために特定の所定の溶解圧力および／または抽出圧力を前記チャンバ内で保持するようになっているとともに前記チャンバ（３）の外側で前記底壁（５）の近傍に配置される圧力保持要素（１１）を備え、
前記圧力保持要素（１１）は、前記少なくとも１つの送出用開口（９）に対応して配置される少なくとも１つの突出部（１２）を備え、
前記突出部（１２）は、少なくとも前記カプセルチャンバ内の注入流体が前記底壁を押圧して前記底壁（５）を前記圧力保持要素（１１）の方へ移動させるときに、対応する前記開口内に配置されてその断面を制限するようになっていることを特徴とする、カプセルホルダ（１０）または適合装置（１７）。
【請求項２】
前記圧力保持要素（１１）の少なくとも１つの前記突出部（１２）は、該突出部が対応する前記開口（９）の形状とは異なる径方向断面形状を有する、請求項１に記載のカプセルホルダ（１０）または適合装置（１７）。
【請求項３】
少なくとも１つの前記突出部（１２）は、その径方向断面が一般に頂点から底面へと増大するような全体的な長手方向輪郭を有する、請求項１または２に記載のカプセルホルダ（１０）または適合装置（１７）。
【請求項４】
前記突出部（１２）は、以下から選択される、すなわち、半球、切頂半球、楕円放物体、棘状錐体、四面体などの多面体、切頂四面体、円錐、円錐台、角錐、切頂角錐、または、これらの組み合わせから選択される全体的な形状を有する、請求項３に記載のカプセルホルダ（１０）または適合装置（１７）。
【請求項５】
前記圧力保持要素（１１）は、少なくとも１つの前記突出部（１２）の近傍に配置される少なくとも１つのクッション（２０）を備え、前記クッション（２０）は、前記底壁が前記カプセル内の流体圧の影響下で移動される場合に前記カプセル底壁（５）を前記突出部の基部から距離を隔てて維持するために、前記突出部よりも小さいあるいは前記突出部に等しい高さを有し、それにより、前記開口の直径は、それが対応する前記突出部の径方向断面よりも大きい、請求項３または４に記載のカプセルホルダ（１０）または適合装置（１７）。
【発明の詳細な説明】
【技術分野】
【０００１】
本発明は、内部に注入される流体によって高い抽出圧力および／または溶解圧力を必要とする食品を調製するための、例えば、コーヒータイプの飲料を調製するためのカプセルに関する。
【背景技術】
【０００２】
この明細書の残りの部分では、飲料調製、特にコーヒーに関して本発明を説明する。しかしながら、これは、本明細書の範囲および特許請求の範囲を限定するものと解釈されるべきでない。本発明は、一般に、食品調製マシン内でのカプセルまたはポッド内への流体の注入によって調製され得るとともに、カプセル内に収容される原材料を抽出するあるいは溶解するためにカプセル内で高い流体圧を伴う任意の食品または栄養製品の調製に向けられている。そのような食品または栄養製品としては、例えば、水溶きコーヒーおよび／または粉末状の焙煎して挽いたコーヒー豆、ミルク調製品、乳児用ミルクなどの乳製品、スープ、アイスクリーム、チョコレートベースの製品、茶、または、ハーブ淹出物、半流動状または流動状のデザートを挙げることができる。
【０００３】
高圧での抽出または混合によってコーヒーなどの飲料を調製するための物質を収容するカプセルは、特にエスプレッソコーヒー調製または水溶きコーヒー調製の分野において良く知られており、衛生上の観点から、および、それが保証する製品鮮度において興味深い。消費者が手軽に使えること、および、調製の容易さも、そのようなシステムの特定の利点である。
【０００４】
ある場合には、カプセルがカプセルホルダ内に保持され、該カプセルホルダは、前記カプセルを保持するとともに、食品調製装置の容器内への適切な挿入および適合を可能にする。挿入および適合の実用性の見地を超えて、カプセルホルダは、カプセルチャンバ内の内部流体圧がカプセル壁を損傷させないことを保証し、このため、カプセルホルダは、カプセル壁と緊密に嵌り合うように形成されて寸法付けられる。
【０００５】
近年、カプセルまたはポッドを使用する食品調製のための多くの異なるタイプのマシンおよびシステムが市場に出てきており、これらのそれぞれは特定の形状および／またはサイズを有するカプセルまたはポッドを備える。消費者が、１つのシステムのために設計されたカプセルまたはポッドを、当初はそのようなカプセルまたはポッドの形態で作動するようになっていない他のシステムに適合させることができるように、消費者が所定のタイプのカプセルまたはポッドを本来のシステムの同じ安全特性および実用特性を保証しつつ他のシステムのカプセルホルダに適合させることができるようにする適合装置（アダプタ）が開発されてきており、そのような適合装置は例えば未公開欧州特許出願第１０１６８１２８．６号明細書に記載された。
【０００６】
カプセルは、水の注入および開口によって特定の圧力閾値を超える液体を起伏状態の要素と接触するカプセルの面の破裂により解放するためのチャンバとしての機能を果たす閉じられたカプセルであってもよい。あるいは、流体入口開口および／または生成物出口開口を備える幾つかのカプセルであって、ユーザが前記カプセルを食品調製マシン内へ導入するときには流体入口開口および／または生成物出口開口が既に存在している幾つかのカプセルが使用される。
【０００７】
水は、通常、針またはスパイクを使用してカプセルを穿孔することにより注入される。このタイプの抽出システムの一例が欧州特許出願公開第０５１２４７０号明細書あるいは欧州特許出願公開第０８７０４５７号明細書に記載されている。更に他の想定し得る別の手法において、カプセルは、カプセル内が圧力閾値に達したときにカプセルフィルムまたはカプセル膜を破裂させることにより液体抽出物を解放するためのそれ自体の解放型手段を有する。
【０００８】
カプセルは、フィルタタイプの透過性チャンバであってもよく、あるいは、フィルタ要素を備える半透過性チャンバであってもよい。
【０００９】
全ての場合において、カプセルチャンバの内圧は、溶解生成物中に泡を形成するための、および、粉末状の焙煎して挽いたコーヒーのためのクリーム、すなわちクレマの形成のための主要な推進源である。また、カプセルチャンバの内圧は、挽いたコーヒーの抽出においてクレマを形成するための主要な推進源でもある。クレマは、制御された香りの解放を行なうため、消費者にとって非常に重要であり、また、それ自体の口元の感触にとって重要である。
【００１０】
より幅広い種類の飲料を提供するために、同じマシンを用いて、混合されるべき物質（可溶性物質または分散性物質）と加圧下で抽出されるべき物質とを使用することが知られている。例えば、１つの同じマシンを使用して、カプセルが挽いたコーヒーを収容するときに「エスプレッソ」コーヒーを調製することができる。
【００１１】
注入状態、混合状態、または、湿潤状態は、生成される飲料の品質に対してかなりの影響を及ぼす。挽くことによって生じてカプセル内へ押し下げられる物質が関与しているのか、あるいは、水溶きコーヒーなどの液体中に溶解されあるいは分散されるべき物質またはカプチーノなどのミルクベースの物質等が関与しているのかどうかに応じて、水がカプセルを通過する態様は、抽出状態または混合状態に対して影響を及ぼし、したがって、飲料の最終的な品質に対して影響を及ぼす。
【００１２】
したがって、コーヒーなどの生成物は、好ましくは特定のきめを伴う泡を生成するために急速に且つ完全に溶解されあるいは分散されなければならない。挽いたコーヒーなどの抽出されるべき生成物の場合には、最適な湿潤状態が異なる。生成物は完全に湿潤されなければならず、それにより、コーヒーの層を通じた水にとって好ましい経路を形成することなく、水／コーヒー接触面が最適化される。コーヒーの層を通じた優先経路の形成は、非常に突然の圧力増大をもたらす場合があり、したがって、抽出時間が不十分であるがためにコーヒーの一部が未だ正確に湿潤されていなかったという事実にもかかわらず、非常に急速な抽出物解放をもたらす場合がある。
【発明の概要】
【発明が解決しようとする課題】
【００１３】
食品調製マシン内へのカプセルの挿入のために前記カプセルを受け入れることができるとともに、前記カプセルが開放するときのカプセル出口を通じた生成物の流れを制御でき、それにより、生成物の適切な送出（ｄｉｓｐｅｎｓｅ）を依然として可能にしつつ、抽出および／または溶解ステップの全体にわたってカプセル内の圧力が一貫したレベルに維持されるようにする、手段の必要性がある。
【課題を解決するための手段】
【００１４】
前述した目的は、カプセルホルダまたはカプセルホルダへカプセルを適合させるための適合装置であって、前記カプセルが、前記カプセルおよび前記カプセルホルダ並びに随意的には前記適合装置が食品調製マシンの容器内に挿入されるときに加圧下で流体をカプセル内に注入することにより食品を供給するようになっており、前記カプセルが、
カプセル側壁および柔軟な底壁によって、さらに随意的には上壁とにもよって画定されるチャンバであって、前記注入流体によって溶解されるべきおよび／または抽出されるべき少なくとも１つの原材料を収容するチャンバと、
底壁を貫通して設けられる少なくとも１つの送出用開口を備える飲料送出構造と、
を備える、カプセルホルダまたはカプセルホルダへカプセルを適合させるための適合装置において、
前記カプセルホルダまたは前記カプセルホルダのための前記適合装置が、前記注入流体と前記原材料との混合のために特定の所定の溶解圧力および／または抽出圧力をチャンバ内で保持するようになっているとともにチャンバの外側で底壁の近傍に配置される圧力保持要素を備え、前記圧力保持要素が、前記少なくとも１つの送出用開口に対応して配置される少なくとも１つの突出部を備え、前記突出部が、少なくともカプセルチャンバ内の注入流体が底膜を押圧して前記膜を前記圧力保持要素の方へ移動させるときに、対応する開口内に配置されてその断面を制限するようになっていることを特徴とする、カプセルホルダまたはカプセルホルダへカプセルを適合させるための適合装置を用いて本発明により達成される。
【００１５】
「カプセル」とは、硬質なものだけでなく、異なる形状およびサイズの濾紙ポッドなどの柔軟なポッド、あるいは、硬質部と柔軟部との組み合わせも包含することを意味する。
【００１６】
カプセルの出口開口を制限するが完全に閉じないことにより、生成物の流れが保証されるが、同時に、カプセル内の圧力は、カプセル内に収容される材料の適切な湿潤、溶解、発泡、および／または、抽出を可能にするように十分高く維持される。
【００１７】
本発明の１つの特定の実施形態において、圧力保持要素の少なくとも１つの突出部は、それが対応する開口の形状とは異なる径方向断面形状を有する。これに代えて、あるいは、これに加えて、突出部は、その径方向断面が一般に頂点から底面へと増大するように全体的な長手方向輪郭を有することができる。
【００１８】
突出部の径方向断面が一般に頂点から底面へと増大する後者の場合、前記突出部は、好適には、以下から選択される、すなわち、半球、切頂半球、楕円放物体、棘状錐体、四面体などの多面体、切頂四面体、円錐、円錐台、角錐、切頂角錐、または、これらの組み合わせから選択される全体的な形状を有することができる。無論、径方向断面が突出部の頂点から底面へと増大する原理が適用されさえすれば、他の同様の形状を適用できる。
【００１９】
そのような形状を用いると、コーヒーチャンバ内で抽出されおよび／または溶解される生成物、例えばコーヒーをカプセル底壁の送出用開口を通じてカプセルから流出させることができるようになるとともに、送出用開口が対応する突出部によって完全に塞がれないようになる。
【００２０】
抽出中および／または溶解中、注入流体がカプセルチャンバ内に注入されて、前記チャンバ内の圧力が増大し、それにより、カプセルの底壁が圧力保持手段の方へ押圧され、その結果、底壁の送出用開口が突出部によって部分的に塞がれる。底膜と圧力保持手段（特に突出部の基部）との間の距離は、カプセル内が最も高い圧力に達するときに底膜の変形が送出用開口を塞ぐポイントを越えないように適合される。
【００２１】
突出部の基部の径方向断面は、それらが対応する送出用開口の直径よりも大きくないことが好ましく、また、前記突出部の基部とカプセルの底膜との間の距離は、前記底膜の最大変形時に、０．１ｍｍよりも大きく、より好ましくは０．２ｍｍよりも大きい。生成物が流れるための開放面積は、生成物の粘性を使用して、また、生成物のタイプのために必要とされる圧力にしたがって調整することができる。例えば、圧力は、特定のミルクベースの生成物に関して消費者により好まれるタイプの泡を与えるように予め調整することができる。例えば、好ましくは１．０ｍｍ未満の距離の更に小さい開放面積を用いると、ミルク泡中の小さな気泡から成る滑らかなクリーム状のきめのある泡／乳濁液を得ることができる。
【００２２】
いずれにしても、突出部の基部の径方向断面がそれらが対応する送出用開口の直径よりも大きければ、カプセル底膜の最大変形ポイントは、カプセル内の圧力がその最高点に達するときに膜の各送出用開口が対応する突出部によって塞がれないように適合されなければならない。
【００２３】
本発明の好ましい実施形態において、圧力保持要素は、少なくとも１つの突出部の近傍に配置される少なくとも１つのクッションを備え、前記クッションは、前記底壁がカプセル内の流体圧の影響下で移動される場合にカプセル底壁を突出部の基部から距離を隔てて維持するために、前記突出部よりも小さいあるいは前記突出部に等しい高さを有し、それにより、前記開口の直径は、それが対応する突出部の径方向断面よりも大きい。
【００２４】
本発明の１つの実施形態において、カプセルの少なくとも１つの前記開口は、前記カプセルが食品調製マシンと共に使用するために前記カプセルホルダ内または前記適合装置内に配置されるときにはカプセル底壁に既に穿孔されている。
【００２５】
本発明の第２の別の実施形態において、少なくとも１つの前記開口は、
前記注入流体が前記底壁の内面と接触するときの前記注入流体の温度の作用時のおよび／または底壁材料と注入流体との間の化学反応時のカプセル底壁材料の局所的な溶解、および／または、
予め穿孔されるが、閉じられた状態にあり、底壁の局所的な変形の後に開放する底壁の所定の領域、あるいは、底壁の脆弱化した領域である底壁の所定の領域に対するカプセルチャンバ内の流体圧力の作用、および／または、
前記カプセルの外側で前記カプセル底壁上に配置される機械的手段の効果、
によってカプセル底壁厚を貫通して形成される。「対応して」とは、突出部の対称軸線が送出用開口の中心とほぼ位置合わせされることを意味する。
【００２６】
本発明の更なる特徴および利点は、図面を参照して以下に記載される現在好ましい実施形態の説明において述べられるとともに、この説明から明らかである。
【図面の簡単な説明】
【００２７】
【図１】本発明に係るカプセルホルダ内に配置されたカプセルの概略部分断面図である。
【図２】本発明の別の実施形態の概略断面図である。
【図３】本発明に係る圧力保持手段の概略拡大図である。
【発明を実施するための形態】
【００２８】
図１は本発明の第１の実施形態を示しており、この実施形態では、カプセル１が与えられ、このカプセル１は、前記カプセルが食品調製マシン（図示せず）の容器内に挿入されるときに加圧下で針２を通じて流体をカプセル内に注入することにより食品を供給するのに適する。カプセル１は、カプセル側壁４、柔軟な底壁５、および、上壁６によって画定されるチャンバ３を備える。
【００２９】
チャンバ３は、加圧下で前記注入流体によって抽出されるべき粉末状の焙煎して挽いたコーヒー７の塊を収容する。コーヒー７の塊は、カプセルの底壁５と、カプセルの上壁６に対して平行であるがこの上壁６よりも下側に特定の距離を隔てて配置されるフィルタ壁８との間でチャンバ３内に封入される。このフィルタ壁８は少なくとも２つの利点を有する。すなわち、フィルタ壁８は、注入針２から放出される噴出水を遮断して水の速度を低下させ、また、フィルタ壁８は、粉末状のコーヒー７を特定の圧縮形態下に維持して、それにより、コーヒー塊がまとめられるようにするとともに、カプセルチャンバ内に注入される水がカプセルチャンバ容積空間にわたって粉末をまき散らさないようにする。このようにまき散らすことは非常に望ましくない。
【００３０】
図１に示されるように、カプセル１は、底壁５を貫通して設けられる複数の送出用開口９を有する飲料送出構造を更に備える。
【００３１】
図１に示されるように、カプセルはカップ形状のカプセルホルダ１０内に受け入れられる。カプセルホルダ１０は、チャンバ３の外側でカプセル１の底壁５の下側に配置される圧力保持要素１１を備える。
【００３２】
前記圧力保持要素１１は、前記送出用開口９に対応して配置される複数の突出部１２を備え、その場合、各突出部１２は、少なくともカプセルチャンバ３内の注入流体が底膜５を押圧して前記膜を前記圧力保持手段１１の方へ移動させるときに、対応する開口９内に配置されてその断面を制限するようになっている。図１に示されるように、各突出部１２は、カプセルホルダの底壁１４から上方へ延びるロッド１３に設けられる。
【００３３】
カプセルホルダ１０は送出用開口１５を更に備え、この送出用開口１５を通じて、カプセルチャンバ３内で調製されて底膜５の送出用開口９を通じて送出される生成物が流れることができる。
【００３４】
図２を参照すると、カプセルが概略断面図で示されている。図示のカプセルは、側壁４と上縁１６とを有するカップ形状の本体を備える。図面では、カプセルの上側が、注入針２を刺入させることができる膜６で閉じられる。カプセル１は、複数の送出用開口９が穿孔された底膜５を更に備える。カプセルには純粋な水溶きコーヒー生成物塊７が充填される。保管中の製品鮮度を保証するために、カプセルは、二次的なパッケージ内、例えば軽量な水密性および気密性の材料から成るフローラップ袋内に格納される（図示せず）。
【００３５】
この特定の実施形態において、圧力保持要素１１は、カプセル外形状をカプセルホルダ１０の内形状に適合させることができる適合装置１７の一部である。
【００３６】
より正確には、適合装置１７は支柱１９を有する上壁１８を備え、支柱１９は上壁１８からカプセルホルダ１０の下面へと下方に延びる。抽出流体がカプセルチャンバ３内に注入されると、カプセル内の圧力が上昇してカプセル壁４，５，６を外側に押圧する。カプセルホルダ内に挿入されるカプセルがカプセルホルダに適切に適合しない形状および／またはサイズを有する場合には、内圧がカプセルチャンバ内で増大するときの抽出プロセス中にカプセル壁が正確に保持されない。これは、カプセルの損傷または破裂の危険をもたらし、無論、非常に望ましくない。この問題を未然に防ぐために、カプセル壁を保持して、カプセルを破損させる場合がある変形が圧力増大中に生じないようにする適合装置を使用できる。
【００３７】
図２に示される例において、カプセル形状は、前述したように抽出中にカプセルへ損傷を与える危険を伴って、前記カプセルが前記カプセルホルダ内に配置されるときに、カプセルの底壁５が通常はカプセルホルダの対応する底壁から距離を隔てて配置されるようになっている。この場合、カプセルの底壁５は、カプセルチャンバ３の内圧がどうであろうとも、適合装置１７の上壁１８によって所定位置に保持される。
【００３８】
本発明によれば、図２に示されるように、適合装置の上壁１８は、複数の突出部１２を有する圧力保持要素１１を備える。
【００３９】
図２に示されるように、カプセルの底壁５は、図１に関連して既に説明した実施形態と同様に、複数の送出用開口９が穿孔される柔軟な膜である。この膜は、穿孔されたフィルム、メッシュ、濾紙、または、同様の空気および液体を透過させる材料であってもよい。
【００４０】
図１に関連して前述したように、突出部１２は、それらが底壁５の開口９に嵌合するように形成されて寸法付けられ、それにより、各突出部１２は、少なくともカプセルチャンバ３内の注入流体が底膜５を押圧して前記膜を前記圧力保持要素１１の方へ移動させるときに、対応する開口９内に配置されてその断面を制限する。
【００４１】
圧力保持要素１１は、カプセル内で調製された生成物がカプセルホルダの送出用開口１５へ向けて例えばカップ内へと流れることができるようにする一連のチャネル（図示せず）を備える。
【００４２】
図３は、カプセル１の柔軟な底膜５と圧力保持要素１１との間の構造的関係を示す拡大部分概略図である。
【００４３】
図３から分かるように、底膜５は複数の送出用開口９を備える。それに対応して、圧力保持要素１１は、開口９の方へ向く複数の円錐形状の突出部１２を備える。
【００４４】
図３に示される実施形態において、突出部１２の長手方向の輪郭は、それらの径方向断面が一般に頂点から底面へと増大するようになっている。
【００４５】
流体がカプセル内に注入されると、カプセルチャンバ内で圧力が増大し、その結果、柔軟な底膜５が圧力保持要素１１の壁１６へ向けて外側に押し出される。この時点の変形された膜の位置が図３に点線で表わされる。
【００４６】
静止状態の柔軟な底膜５の位置決めは、この膜を製造するために使用される材料の柔軟性に応じて、および、生成物調製中のカプセル内の最大圧力レベルに応じて、変形された膜５’の位置が図３に示されるようになるべく、すなわち、突出部１２が開口９を完全に塞ぐことなく開口９により画定される空間を部分的に満たすべくなされなければならない。この位置では、出力される生成物の流量が制限され、したがって、カプセルチャンバ内の圧力を、抽出および／または溶解を質的に良好にし得る十分なレベルに維持することができる。また、カプセル内に収容されて抽出されおよび／または溶解されるようになっている１または複数の原材料の湿潤は、出力される生成物の流速が低下されるという事実に起因して良好である。
【００４７】
圧力保持手段の壁１６に対する膜５の位置決めは、突出部１２のサイズおよび形状によっても決定される。
【００４８】
本発明の特に有利な作用形態において、圧力保持手段１１は、突出部１１と同じ方向に突出する少なくとも１つの、しかし、好ましくは複数の支持クッション２０を更に備える。
【００４９】
図３に示されるように、支持クッション２０は、前記膜５’が圧力保持要素１１の突出部１２によって完全に塞がれる特定の位置を越えていかないようにするために、カプセルのその変形状態の底壁５’を支持する。その限界の位置では、膜５’がクッション２０上に載置する。前記クッションは突出部間に配置されるのが好ましく、また、クッションの高さは突出部１２の高さを超えない。
【００５０】
図３に示されるように、クッションは、円筒形状を有することができるが、キノコ状、円錐台、角錐台、立方体等、あるいは、これらの組み合わせなどの他の類似の形状を適用することもできる。クッション２０は、それらが底膜５の送出用開口９と位置合わせされないように配置される。
【００５１】
図３に示される実施形態に代わる手段として、底膜の送出用開口からの生成物の流出を他の方法で制限することができる。１つのケース（図示せず）では、圧力保持要素が前述したようなクッションを備えない。この場合、突出部の断面は頂点から底辺まで変化しない。この場合、カプセルの送出用開口を通じた生成物流量の規制／制限は、送出用開口とそれらの対応する突出部との間の径方向断面形状の違いによって得られる。例えば、送出用開口が円形状を有する場合には、対応する突出部を、径方向の面内で十字形状または三角形状を有するように形成することができる。径方向の形状が正確に合わないため、生成物が流通し得る垂直チャネルが形成されるが、前記流れは、カプセルチャンバ内でかなりの内圧を維持するように制限される。
【００５２】
理想的には、本発明に係る流量制限は、カプセルチャンバ内の内圧が生成物送出を通して可能な限り一定に維持されるように行なわれなければならない。
【００５３】
言うまでもなく、本明細書中に記載される現在好ましい実施形態に対する様々な変更および改変は当業者に明らかである。そのような変更および改変は、本発明の思想および範囲から逸脱することなく且つ本発明の付随する利点を損なうことなく行なうことができる。したがって、そのような変更および改変が添付の特許請求の範囲によって網羅されることが意図される。
【図１】
0005870103.tif 000002
【図２】
0005870103.tif 000003
【図３】
0005870103.tif 000004